(57)【要約】【課題】火焔燃焼の視覚効果を備える模擬燭台を提供する。【解決手段】模擬燭台は、ランプ座１０、サポートフレーム１１、ランプ台１２、火焔装飾片１３、発光体１４、第一導磁体１５、電源、モーター１６、駆動部品１７、少なくとも１個の第二導磁体１８を備え、サポートフレーム１１とランプ台１２はランプ座１０上に直立し、火焔装飾片１３はランプ台１２に掛けて設置し、発光体１４の光線は火焔装飾片１３に向かい射出され、電源とモーター１６をランプ座１０に設置し、駆動部品１７の回転を駆動し、第一導磁体１５は火焔装飾片１３の下端に設置し、第二導磁体１８は駆動部品１７位置に設置し、モーター１６が駆動部品１７の回転を駆動し、第二導磁体１８が第一導磁体１５に近づき、或いは第一導磁体１５から離れると、火焔装飾片１３は揺れ動き、しかも発光体１４により光線を照射することで、リアルな火焔燃焼のような視覚効果を達成することができる。【選択図】図２
0003183216.tif 000002
【実用新案登録請求の範囲】
【請求項１】
模擬燭台は、ランプ座、サポートフレーム、ランプ台、火焔装飾片、発光体、第一導磁体、電源を備え、前記電源は、前記ランプ座内に設置し、前記サポートフレームは、前記ランプ座上に固定して直立させ、前記ランプ台は、前記サポートフレーム上に固定して連接し、しかも前記ランプ座の上方に位置し、前記ランプ台は、上下に貫通した貫通孔を備え、前記火焔装飾片は、前記貫通孔を貫通し、前記ランプ台上に掛けて設置し、前記発光体は、前記ランプ台に固定状に設置し、しかも光線は、前記火焔装飾片に向かい射出され、前記発光体は、前記電源と電気的に連接し、前記第一導磁体は、前記火焔装飾片の下端に設置し、前記模擬焔燭台はさらに、モーター、駆動部品、少なくとも１個の第二導磁体を備え、前記モーターは、前記ランプ座位置に固定し、前記電源と電気的に連接し、前記駆動部品は、前記モーターの出力端と連接し、前記第二導磁体は、前記駆動部品上に設置し、前記第一導磁体と前記第二導磁体の内の少なくとも一方は、磁性を備え、前記モーターは、前記駆動部品を駆動し、こうして前記第二導磁体は、前記第一導磁体に近づき、或いは前記第一導磁体から離れることを特徴とする模擬燭台。
【請求項２】
前記貫通孔内には、水平に設置する可動接続軸を取り付け、前記火焔装飾片中央部には、連接孔を開設し、前記可動接続軸は、前記連接孔を貫通することを特徴とする請求項１に記載の模擬燭台。
【請求項３】
前記駆動部品は、クランクで、前記クランクの一端は、前記モーターの出力端と連接し、反対端には、第二導磁体を固定することを特徴とする請求項１に記載の模擬燭台。
【請求項４】
前記クランクは、第一段、第二段、第三段を備え、前記第一段と前記第三段は、平行で、前記第二段と前記第一段及び前記第三段とは、それぞれ垂直であることを特徴とする請求項３に記載の模擬燭台。
【請求項５】
前記駆動部品は、シャフト、少なくとも２個のブレードを備え、前記ブレードは、前記シャフトの頂点端に固定し、前記シャフトは、前記モーターの出力端と連接し、前記少なくとも１個の第二導磁体は、前記少なくとも１個のブレード表面に固定することを特徴とする請求項１に記載の模擬燭台。
【請求項６】
前記第一導磁体と第二導磁体は、永久磁石であることを特徴とする請求項１に記載の模擬燭台。
【請求項７】
前記第一導磁体と前記第二導磁体の磁性は、同一であることを特徴とする請求項６に記載の模擬燭台。
【請求項８】
前記第一導磁体と前記第二導磁体の磁性は、反対であることを特徴とする請求項６に記載の模擬燭台。
【請求項９】
前記模擬燭台はさらに、ランプシェードを備え、前記ランプシェードは、円柱形構造で、しかも上端表面には、開口を開設し、前記ランプシェードは、前記ランプ座、前記サポートフレーム、前記ランプ台外を覆って設置することを特徴とする請求項１に記載の模擬燭台。
【請求項１０】
前記模擬燭台はさらに、トランスミッションを備え、前記トランスミッションの入力端は、前記モーターの出力端と連接し、前記トランスミッションの出力端は、前記駆動部品と連接することを特徴とする請求項１に記載の模擬燭台。
【考案の詳細な説明】
【技術分野】
【０００１】
本考案は燭台に関し、火焔燃焼の視覚効果を備え炎の揺らぎをシュミレートする燭台に関する。
【背景技術】
【０００２】
現代社会では、ロウソク、オイルランプなどの伝統的な照明具は、各種の電灯に取って代わられている。
しかし、それが持つ伝統的な意義と独特の視覚効果は、普通の現代照明具には、表現できないものである。
【０００３】
そのため、特殊な場面では、依然としてロウソク、オイルランプなどの伝統的な照明具の使用が必要とされている。
例えば、祖先の祭祀を行う際には、人々は線香、ロウソクを用い、ロウソクの揺れる焔に祖先を敬い懐かしむ心と子孫に対する尽きぬ思いを託す。
また、特定の雰囲気を演出する必要がある場合にも、キャンドル燃焼時の視覚効果は、人々の主観に訴えかけることができる。
【０００４】
しかし、ロウソク、オイルランプなどは、燃焼する火焔を備え、しかも火焔は不安定であるため、安全上不安がある。
すなわち、風に吹かれ、或いは人が触れたりすることなどが原因で倒れると、周囲の物体に火が移り、火災になってしまう恐れがある。
そのため、伝統的な照明効果を備える人工ロウソクなどの代替照明具が開発されている。
【０００５】
従来の代替照明具は、一般にランプ体を燭台のような外形に成型し、ランプ体頂点部には火焔形状のランプシェードを備える。
ランプシェード内には発光体を設置し、ランプ体内に設置する電池により発光体に給電する。
これにより、光線は火焔形状のランプシェードを通して発散され、ロウソクが点灯されたような効果を形成する。
しかし、この種の代替照明具のランプシェードは固定形状で、点灯後には安定した光源を形成するため、ロウソクの揺れうごめく火焔がかもし出す視覚効果とは似ても似つかない。
本考案は、従来の代替燭台の上記した欠点に鑑み、ロウソクなどの伝統的な照明器具に置換でき、リアルな火焔燃焼の視覚効果を備える照明具を開発するためなされたものである。
【考案の概要】
【考案が解決しようとする課題】
【０００６】
本考案が解決しようとする課題は、ロウソクなどの伝統的な照明器具に置換でき、リアルな火焔燃焼の視覚効果を備える模擬燭台を提供することである。
【課題を解決するための手段】
【０００７】
上記課題を解決するため、本考案は下記の模擬燭台を提供する。
模擬燭台は、ランプ座、電源、サポートフレーム、ランプ台、火焔装飾片、発光体、第一導磁体、モーター、駆動部品、少なくとも１個の第二導磁体を備え、該電源は、該ランプ座内に設置し、該サポートフレームは、該ランプ座上に固定して直立させ、該ランプ台は、該サポートフレーム上に固定して連接し、しかも該ランプ座の上方に位置し、該ランプ台は、上下に貫通した貫通孔を備え、該火焔装飾片は、該貫通孔を貫通し、該ランプ台上に掛けて設置し、該発光体は、該ランプ台に固定状に設置し、しかも光線は、該火焔装飾片に向かい射出され、該発光体は、該電源と電気的に連接し、該第一導磁体は、該火焔装飾片の下端に設置し、該モーターは、該ランプ座上に固定し、該電源と電気的に連接し、該駆動部品は、該モーターの出力端と連接し、該第二導磁体は、該駆動部品上に設置し、該第一導磁体と該第二導磁体の内の少なくとも一方は、磁性を備え、該モーターは、該駆動部品を駆動し、こうして該第二導磁体は、該第一導磁体に近づき、或いは該第一導磁体から離れ、こうして該火焔装飾片は揺れ動きを生じる。
【考案の効果】
【０００８】
従来の技術と比較すると、本考案の模擬燭台は、ランプ台上に掛けて設置する火焔装飾片、及びランプ台上に固定する、光線の射出方向が火焔装飾片に向かう発光体により、発光体に通電し発光すると、光線は火焔装飾片へと照射され、火焔の燃焼に似た発光の効果を発揮することができる。
また、モーターを利用し駆動部品の回転を駆動することで、第一導磁体と第二導磁体との間には磁性吸引或いは反発の磁力作用が生じ、第一導磁体は磁力の影響を受け、方向が定まらない揺れ動きを生じ、火焔装飾片の揺れを連動でき、本当の火焔が風に吹かれて揺れる時の効果を、非常にリアルな形で実現することができる。
【図面の簡単な説明】
【０００９】
【図１】本考案模擬燭台第一実施例の立体図である。
【図２】本考案模擬燭台第一実施例においてランプシェードを分離後の立体図である。
【図３】本考案模擬燭台第一実施例においてランプシェードを分離後の別の角度からの立体図である。
【図４】図２中A位置の拡大図である。
【図５】本考案模擬燭台第一実施例中ランプ台の断面図である。
【図６】本考案模擬燭台第一実施例の断面図である。
【図７】本考案模擬燭台第二実施例の構造模式図である。
【考案を実施するための形態】
【００１０】
以下に図面を参照しながら本考案を実施するための最良の形態について詳細に説明する。
【００１１】
図１、２に示すように、本考案模擬燭台１は、ランプ座１０、サポートフレーム１１、ランプ台１２、火焔装飾片１３、発光体１４、第一導磁体１５、モーター１６、駆動部品１７、少なくとも１個の第二導磁体１８、電源(図示なし)を備える。
【００１２】
模擬燭台１はさらに、ランプシェード１９、トランスミッション２０を備える。
発光体１４は、弾丸型の発光ダイオード(LED)である。
第一導磁体１５と第二導磁体１８は、永久磁石である。
【００１３】
図３に示すように、ランプ座１０底部には、電池室１０１を備える。
電池室１０１には、必要な電源を収容設置することができる。
サポートフレーム１１は、ランプ座１０上に固定して直立させる。
ランプ台１２は、サポートフレーム１１上に固定して連接し、しかもランプ座１０の上方に位置する。
図３に示すように、ランプ台１２は、上下に貫通した貫通孔１２２を備える。
貫通孔１２２内には、水平に設置する可動接続軸１２１を取り付ける。
【００１４】
図４、５に示すように、火焔装飾片１３中央部には、連接孔１３１を開設する。
可動接続軸１２１は、連接孔１３１を貫通し、貫通孔１２２内に可動状に接続される。
火焔装飾片１３上には、連接孔１３１を開設し、可動接続軸１２１は、連接孔１３１を貫通し、火焔装飾片１３を、ランプ台１２上に可動状に接続する。
これにより、火焔装飾片１３は、可動接続軸１２１上でスライド可能となり、同時に、貫通孔１２２内において、可動接続軸１２１を巡り、一定角度の揺れ動きを形成することができる。
こうして、火焔装飾片１３は、フレキシブル性の高い活動が実現され、これにより火焔装飾片１３の動きを、実際に火焔が燃焼する際のような揺れ動く視覚効果に、さらに近づけることができる。
【００１５】
発光体１４は、ランプ台１２のランプ槽１２３内に固定状に設置し、しかも光線は、火焔装飾片１３に向かい射出される。
具体的には、発光体１４が発する光線は、貫通孔１２２を通過し、火焔装飾片１３の側壁上に投影される。
発光体１４は、電源と電気的に連接する。
設置する発光体１４を通して、発光体１４は、火焔と似た色の光線を、火焔装飾片１３上に照射する。
よって、火焔装飾片１３を、火焔燃焼の発光効果によりいっそう近づけることができる。
第一導磁体１５は、火焔装飾片１３の下端に設置する。
【００１６】
上記と図６に示すように、モーター１６は、ランプ台１２上に固定し、電源と電気的に連接する。
トランスミッション２０の入力端は、モーター１６の出力端と連接する。
トランスミッション２０の出力端は、駆動部品と連接する。
【００１７】
本実施例の駆動部品１７は、クランクで、クランクの一端は、トランスミッション２０の出力端と連接し、反対端には、第二導磁体１８を固定する。
具体的には、クランクは、第一段１７１、第二段１７２、第三段１７３を備える。
第一段１７１と第三段１７３は、平行で、第二段１７２と第一段１７１及び第三段１７３とは、それぞれ垂直である。
第三段１７３は、トランスミッション２０の出力端に連接し、第一段１７１の上端いは、第二導磁体１８を設置する。
第一段１７１、第二段１７２、第三段１７３により組成するクランクの設置を通して、第一段１７１と第三段１７３とは、第二導磁体１８を支えることができ、及びこれにより第二導磁体１８は、直立方向において、第一導磁体１５によりいっそう接近し、第二段１７２は、第三段１７３を自転から、第一段１７１の公転に変えることができる。
こうして、第二導磁体１８の位置は変化し、第一導磁体１５へ接近し、或いは第一導磁体１５から離れることができる。
【００１８】
図７に示すように、本考案の第二実施例では、駆動部品１７Aは、別の型式とすることができる。
本実施例中では、駆動部品１７Aは、シャフト１７４、少なくとも２個のブレード１７５を備える。
ブレード１７５は、シャフト１７４の頂点端に固定する。
シャフト１７４は、トランスミッション２０の出力端と連接する。
第二導磁体１８は、少なくとも１個を、少なくとも１個のブレード１７５表面に固定するが、その位置は、シャフト１７４を中心とするブレード１７５の辺縁から離れた位置が好ましい。
【００１９】
本実施例では、各ブレード１７５にはすべて、第二導磁体１８を固定する。
シャフト１７４を利用し、ブレード１７５を駆動し回転させる。
こうして、第二導磁体１８の位置に変化が生じ、第一導磁体１５に近づき、或いは第一導磁体１５から離れる状態を実現する。
しかも、ブレード１７５が回転して発生する風は、ランプ台１２の貫通孔１２２を通して、火焔装飾片１３方向へと吹く。
これにより、火焔装飾片１３の動きを、実際に火焔が燃焼する際のような揺れ動く視覚効果に、さらに近づけることができる。
また、駆動部品は、スイング部品などの別の形式とすることができ、これによりモーター１６により駆動し、スイングを実現することができる。
これにより、第二導磁体１８は、第一導磁体１５に近づき、或いは第一導磁体１５から離れる状態を実現することができる。  
【００２０】
第一導磁体１５及び第二導磁体１８は、永久磁石である。
永久磁石は、電力により磁場を誘発しなくとも、第一導磁体１５と第二導磁体１８との間に、磁力作用を発生することができる。
よって、構造を簡略化でき、省エネ効果を達成することができる。  
【００２１】
また、第一導磁体１５と第二導磁体１８とは、同一磁極とすることができ、これにより磁場の相互反発を通して、火焔装飾片１３を揺らすことができ、また相互に異なる磁極として相互に吸引させることもできる。
【００２２】
第一導磁体１５と第二導磁体１８は、両者の内の一方を永久磁石とし、もう一方を鉄、コバルト、ニッケルなどの磁石に吸引される物質とすることができる。
この場合には、両者が接近すると相互に引き合い、離れると相互に離脱することで、火焔装飾片１３の揺れ動きを実現することができる。
【００２３】
図１、２に示すように、ランプシェード１９は、円柱形構造で、しかも上端表面には、開口１９１を開設する。
ランプシェード１９は、ランプ座１０、サポートフレーム１１、ランプ台１２外を覆って設置する。
火焔装飾片１３は、開口１９１を貫通し、ランプシェード１９外に伸び出す。
ランプシェード１９の設置により、ランプ座１０、サポートフレーム１１、ランプ台１２が外界の影響を受けないよう保護することができ、またこれにより模擬燭台１は外観がよりいっそう美しくなり、リアルさを増強することができる。
【００２４】
上記した発光体１４は、使用の必要に応じて、さまざまな色に交換することができる。
ランプシェード１９もさまざまな外観に設計することができる。
これにより、外観を実物によりいっそう近づけ、観賞性を高めることができる。
【００２５】
上記したように、模擬燭台１のスイッチをオンにすると、発光体１４は発光し、光線を火焔装飾片１３上へと投射する。
同時に、モーター１６が回転し、トランスミッション２０により駆動部品１７のクランクの回転を連動する。  
第一段１７１は公転し、第二導磁体１８の円周運動を連動し、これにより第一導磁体１５に周期的に近づき、或いは離れる。
第二導磁体１８が、第一導磁体１５の真下まで運動すると、第一導磁体１５と第二導磁体１８との間の磁力作用は、火焔装飾片１３の偏りを連動する。
こうして、火焔装飾片１３の効果、及び本当の火焔が風に吹かれて揺れる時の効果を、非常にリアルな形で実現することができる。
【００２６】
ランプ台１２上には、火焔装飾片１３を掛けて設置するため、ランプ台１２上には、光線照射方向が火焔装飾片１３に向かう発光体１４を固定する。
よって、発光体１４に通電して発光すると、光線は、火焔装飾片１３上へと照射され、火焔が発光しているような効果を形成することができる。
【００２７】
しかも、火焔装飾片１３下端には、第一導磁体１５を固定し、第一段１７１上には、第二導磁体１８を固定するため、モーター１６を利用して駆動部品１７を駆動すると、第二導磁体１８は、第一導磁体１５に近づき、或いは離れる。
さらに、第一導磁体１５と第二導磁体１８との間には、磁性吸引或いは反発の磁力作用を備えるため、第一導磁体１５は、磁力の影響を受け、方向が定まらない偏りを生じ、火焔装飾片１３の揺れを連動する。
これにより、燃焼時に風に吹かれ揺れ動く火炎のようなリアルな視覚効果を達成できるため、炎の揺らぎをシュミレートする効果は非常に高い。
【００２８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２９】
本考案は特許の要件である新規性を備え、従来の同類製品に比べ十分な進歩を有し、実用性が高く、社会のニーズに合致しており、産業上の利用価値は非常に大きい。
【符号の説明】
【００３０】
１      模擬燭台
１０    ランプ座
１０１  電池室
１１    サポートフレーム
１２    ランプ台
１２１  可動接続軸
１２２  貫通孔
１２３  ランプ槽
１３    火焔装飾片
１３１  連接孔
１４    発光体
１５    第一導磁体
１６    モーター
１７    駆動部品
１７１  第一段
１７２  第二段
１７３  第三段
１８    第二導磁体
１９    ランプシェード
１９１  開口
２０    トランスミッション
１７A   駆動部品
１７４  シャフト
１７５  ブレード
【図１】
0003183216.tif 000003
【図２】
0003183216.tif 000004
【図３】
0003183216.tif 000005
【図４】
0003183216.tif 000006
【図５】
0003183216.tif 000007
【図６】
0003183216.tif 000008
【図７】
0003183216.tif 000009